(57)【要約】【課題】圧縮機の異常により大電流が流れた場合でも洗濯乾燥機全体の動作を停止させることのない洗濯乾燥機を実現すること。【解決手段】圧縮機温度検知手段７１が定められた閾値を超える温度を検知した場合は、圧縮機電源供給制御手段７２により圧縮機３５への電源供給を停止することにより、圧縮機３５の異常により大電流が流れた場合でも圧縮機温度検知手段７１により異常を検知し、圧縮機電源供給制御手段により圧縮機への電源の供給を停止させることとなり、圧縮機の異常により大電流が流れた場合でも洗濯乾燥機全体の動作を停止させることのない洗濯乾燥機を実現することができる。【選択図】図１
2005211395.tif 000002
【特許請求の範囲】
【請求項１】
同一槽内に入れた衣類に対して洗濯と乾燥を行い、乾燥時には乾燥用空気から湿気を結露水として回収する除湿手段を具備し、前記除湿手段は、乾燥用空気を冷却する冷却器と、乾燥用空気を加熱する加熱器と、冷媒の圧力を低下させる減圧装置と、気化した冷媒を圧縮する圧縮機と、前記圧縮機の温度を検知する圧縮機温度検知手段と、前記圧縮機温度検知手段が検知した圧縮機の温度の情報を基に圧縮機への電源の供給を制御する圧縮機電源供給制御手段を有し、前記圧縮機電源供給制御手段は、前記圧縮機温度検知手段が定められた閾値を超える温度を検知すると前記圧縮機への電源供給を停止することとした洗濯乾燥機。
【請求項２】
圧縮機電源供給制御手段は、圧縮機温度検知手段が定められた閾値を超える温度を検知し圧縮機への電源供給を停止した後、圧縮機温度検知手段にて定められた閾値を下回る温度を検知した場合には圧縮機への電源供給を再開することとした請求項１記載の洗濯乾燥機。
【請求項３】
圧縮機温度検知手段が定められた閾値を超える温度を検知して圧縮機電源供給制御手段にて圧縮機への電源供給が停止された場合、使用者に圧縮機の温度が定められた閾値を超えた旨報知する報知手段を設けた請求項１または２記載の洗濯乾燥機。
【請求項４】
圧縮機温度検知手段が定められた閾値を超える温度を検知して圧縮機電源供給制御手段にて圧縮機への電源供給が停止された回数を記憶する電源供給停止回数記憶手段を具備し、電源供給停止回数が所定回数を超えると、異常解除処理が実行されるまで除湿動作を停止することとした請求項２または３記載の洗濯乾燥機。
【請求項５】
圧縮機温度検知手段が定められた閾値を超える温度を検知して圧縮機電源供給制御手段にて圧縮機への電源供給が停止される毎に、前回電源供給が停止されてからの経過時間を計測して記憶する電源供給停止間隔記憶手段を具備し、電源供給停止間隔が所定時間を下回ると、異常解除処理が実行されるまで除湿動作を停止することとした請求項２〜４のいずれか１項に記載の洗濯乾燥機。
【請求項６】
使用者に圧縮機の異常を報知する報知手段を具備し、前記報知手段は、一時的に圧縮機への電源供給が停止された場合と異なる報知を行うこととした請求項４または５記載の洗濯乾燥機。
【発明の詳細な説明】
【技術分野】
【０００１】
本発明は、一般家庭で使用される洗濯と乾燥を同一槽で行う洗濯乾燥機に関するものである。
【背景技術】
【０００２】
従来、衣類を洗濯乾燥する機器としてはヒータを熱源にするものや、ヒートポンプ装置を熱源に用いたものがある（例えば、特許文献１参照）。以下、従来例を添付図面に基づいて説明する。
【０００３】
図８は、前記文献に記載された従来の洗濯乾燥機の側断面図である。図８において、洗濯乾燥機１は、ケーシング２をもち、同ケーシング２の中央に衣類６を出し入れするためのドア１２が取り付けられており、内部には回転ドラム３が収納されている。同回転ドラム３の所定の部位には衣類６を回転ドラム３の回転とともに持ち上げ落下させるためのビータ５と、洗濯水７及び乾燥のための循環エア９が出入りするパンチング孔４が開口させてある。回転ドラム３のシャフト１１は図示されない駆動用モータから回転のための動力を受けるようになっている。
【０００４】
また、ケーシング２内の回転ドラム３の背面は、空気入口２４及び空気出口２３を除き隔壁２２によって仕切られ、循環エア９が通るダクト１０、及び１３が形成されている。前記隔壁２２の前面下部は洗濯槽１４を構成し、同洗濯槽１４の部分に回転ドラム３の下部が臨んでいる。
【０００５】
前記各エアダクト１０、１３にはコンプレッサ１９、凝縮器（コンデンサ）１８、ファン１７、膨脹弁２０、蒸発器（エバポレータ）１５等が内蔵されており、いわゆるヒートポンプサイクルが形成されている。また、コンデンサ１８の一部はケーシング外背面に延長され、放熱器１６を形成している。２１はドレン排水用配管、８は洗濯排水用配管である。
【０００６】
次に、各工程と作用について説明する。洗濯、すすぎ工程は、ドア１２をあけて衣類６及び適量の洗剤を投入し、ドア１２を閉め、以下の工程を実行する。水供給バルブ（図示せず）から洗濯槽１４に水位Ａの位置まで規定量の水７が供給される。回転ドラム３がプログラムされた回転数で連続または間欠的に回転し、洗浄が行なわれる。この間、衣類６はビータ５によって持ち上げられ落下する。洗濯終了後は洗濯槽１４の洗濯排水用配管８から機外に排水される。続いて、すすぎ工程が同様の工程で実行される。すすぎ水も洗濯排水として洗濯排水用配管８から機外に排水される。
【０００７】
脱水工程は、回転ドラム３がプログラムされた回転数で回転し、衣類６中の水分７を脱水する。脱水された水は、洗濯排水として洗濯排水用配管８から機外に排水される。
【０００８】
乾燥工程は、コンプレッサ１９、ファン１７及び回転ドラム３が運転されて循環エア９がダクト１０、１３及び回転ドラム３の内部を循環する。
【０００９】
衣類６から蒸発した水蒸気は循環エア９と共に、空気出口２３、ダクト１０を通ってエバポレータ１５に接触し、冷却されて凝縮水（結露水）となって除湿される。除湿された循環エア９は、ファン１７によってコンデンサ１８に送られ、ここで加熱されて熱風となってダクト１３、空気入口２４を経て回転ドラム３内に流入し、再び衣類６から水分を蒸発させる。除湿された結露水はドレン排水用配管２１から機外に排水される。この間、回転ドラム３は洗濯工程と同様にあらかじめ設定された回転数で連続又は間欠的に回転する。以上、洗濯から乾燥までを連続して行う工程について説明した。
【特許文献１】特公平６−７５６２８号公報
【発明の開示】
【発明が解決しようとする課題】
【００１０】
しかしながら、前記従来の構成では、コンプレッサ１９の異常により大電流が流れた場合の安全手段がとられておらず、大電流が流れた場合は配電盤のブレーカを作動させることにより、少なくとも洗濯乾燥機１全体の動作を停止させなければならないという課題を有していた。
【００１１】
本発明は、上記従来の課題を解決するもので、圧縮機の異常により大電流が流れた場合でも洗濯乾燥機全体の動作を停止させることのない洗濯乾燥機の実現を目的とするものである。
【課題を解決するための手段】
【００１２】
上記の目的を達成するために本発明は、乾燥時には乾燥用空気から湿気を結露水として回収する除湿手段を具備し、前記除湿手段は、乾燥用空気を冷却する冷却器と、乾燥用空気を加熱する加熱器と、冷媒の圧力を低下させる減圧装置と、気化した冷媒を圧縮する圧縮機と、前記圧縮機の温度を検知する圧縮機温度検知手段と、前記圧縮機温度検知手段が検知した圧縮機の温度の情報を基に圧縮機への電源の供給を制御する圧縮機電源供給制御手段を有し、前記圧縮機電源供給制御手段は、前記圧縮機温度検知手段が定められた閾値を超える温度を検知すると前記圧縮機への電源供給を停止することとしたものである。
【００１３】
これにより、圧縮機の異常により大電流が流れた場合でも圧縮機温度検知手段により異常を検知し、圧縮機電源供給制御手段により圧縮機への電源の供給を停止させることにより、圧縮機の異常により大電流が流れた場合でも洗濯乾燥機全体の動作を停止させることのない洗濯乾燥機の実現するものとなる。
【発明の効果】
【００１４】
本発明の洗濯乾燥機は、圧縮機の異常により大電流が流れた場合でも洗濯乾燥機全体の動作を停止させることのない洗濯乾燥機の実現することができる。
【発明を実施するための最良の形態】
【００１５】
第１の発明は、同一槽内に入れた衣類に対して洗濯と乾燥を行い、乾燥時には乾燥用空気から湿気を結露水として回収する除湿手段を具備し、前記除湿手段は、乾燥用空気を冷却する冷却器と、乾燥用空気を加熱する加熱器と、冷媒の圧力を低下させる減圧装置と、気化した冷媒を圧縮する圧縮機と、前記圧縮機の温度を検知する圧縮機温度検知手段と、前記圧縮機温度検知手段が検知した圧縮機の温度の情報を基に圧縮機への電源の供給を制御する圧縮機電源供給制御手段を有し、前記圧縮機電源供給制御手段は、前記圧縮機温度検知手段が定められた閾値を超える温度を検知すると前記圧縮機への電源供給を停止することにより、圧縮機の異常により大電流が流れた場合でも圧縮機温度検知手段により異常を検知し、圧縮機電源供給制御手段により圧縮機への電源の供給を停止させることとなり、圧縮機の異常により大電流が流れた場合でも洗濯乾燥機全体の動作を停止させることのない洗濯乾燥機を実現することができる。
【００１６】
第２の発明は、圧縮機温度検知手段が定められた閾値を超える温度を検知し圧縮機への電源供給を停止した後、圧縮機温度検知手段にて定められた閾値を下回る温度を検知した場合には圧縮機への電源供給を再開することにより、電源供給停止後に異常を検知しなくなれば自動的に圧縮機への電源供給を再開することとなり、圧縮機が異常状態から復帰すれば自動的に圧縮機の運転を再開する洗濯乾燥機を実現することができる。
【００１７】
第３の発明は、圧縮機温度検知手段が定められた閾値を超える温度を検知して、圧縮機電源供給制御手段にて圧縮機への電源供給が停止された場合、使用者に圧縮機の温度が定められた閾値を超えた旨報知する報知手段を具備することにより、圧縮機の温度が定められた閾値を超えた旨を外部に報知することが可能となり、圧縮機の温度が定められた閾値を超えた旨を使用者に報知することが可能な洗濯乾燥機を実現することができる。
【００１８】
第４の発明は、圧縮機への電源供給が停止された回数を記憶する電源供給停止回数記憶手段を具備し、電源供給停止回数が所定回数を超えると、異常解除処理が実行されるまで除湿動作を停止することにより、圧縮機が異常解除処理を必要とする状態であることを検知することとなり、圧縮機が異常解除処理を必要とする状態であれば圧縮機の運転を開始しない洗濯乾燥機を実現できる。
【００１９】
第５の発明は、圧縮機への電源供給が停止される毎に、前回電源供給が停止されてからの経過時間を計測して記憶する電源供給停止間隔記憶手段を具備し、電源供給停止間隔が所定時間を下回ると、異常解除処理が実行されるまで除湿動作を停止することにより、圧縮機が異常解除処理を必要とする状態であることを検知することとなり、圧縮機が異常解除処理を必要とする状態であれば圧縮機の運転を開始しない洗濯乾燥機を実現できる。
【００２０】
第６の発明は、使用者に圧縮機の異常を報知する報知手段を具備し、前記報知手段は、一時的に圧縮機への電源供給が停止された場合と異なる報知を行うことにより、圧縮機が異常解除処理を必要とする状態であることを外部に報知することが可能な洗濯乾燥機を実現することができる。
【００２１】
以下、本発明の実施の形態について、図面を参照しながら説明する。なお、本実施の形態によって本発明が限定されるものではない。
【００２２】
（実施の形態１）
図１は、本発明の第１の実施の形態における洗濯乾燥機を背面から見た斜視図、図２は側断面図である。図１において、本発明の洗濯乾燥機本体２５内には、洗濯槽２６があり、モータ２７が取り付けられている。洗濯槽２６は両側面のサスペンション２９と上方部のサスペンション３０によって支えられて本体２５に取り付けられている。
【００２３】
圧縮機３５は気化した冷媒を圧縮し、放熱器３６は圧縮後の高温高圧の冷媒の熱を放熱し、絞り手段３７は高圧の冷媒の圧力を減圧するための膨張弁、もしくは、キャピラリーチューブからなり、吸熱器３８では減圧されて低圧となった冷媒が周囲から熱を奪い、圧縮機３５、放熱器３６、絞り手段３７、吸熱器３８を順に接続して再び圧縮機３５に冷媒が循環するように管路３９で連結したヒートポンプ装置を具備している。
【００２４】
風路４０は、乾燥用空気を冷却する除湿手段としての前記吸熱器３８と乾燥用空気を加熱する加熱手段としての前記放熱器３６とを連結するように構成している。洗濯槽２６と風路４０は、フレキシブルホース４１、４２によって接続されている。風路４０には送風手段４３が設けられている。ダクト４４は洗濯槽２６の外壁に設けられている。矢印Ｂはダクト４４と風路４０内の乾燥用空気の流れを示している。
【００２５】
図２において、回転ドラム２８はモータ２７の軸に直結して洗濯槽２６内に取り付けられている。洗濯槽２６と回転ドラム２８の前面開口部に対応した位置には衣類３１を投入するためのドア３２が設けられている。本体２５と洗濯槽２６の間の隙間はベローズ３３とドアパッキング３４によって空気が本体２５内部や機外に漏れないように略密封されている。回転ドラム２８の側壁および底面部には洗濯水や乾燥用空気が出入りする孔４５と開口部４６が設けられている。開口部５６は洗濯槽２６内壁に設けられており、洗濯槽２６とダクト４４との風路をつないでいる。矢印Ｃは洗濯槽２６と回転ドラム２８内の乾燥用空気の流れを示している。
【００２６】
洗濯排水路４７は洗濯時の排水を流すものである。結露排水路４８は乾燥時の吸熱器３８で発生した結露水を流すもので、洗濯排水路４７と結露排水路４８は一つの排水管４９につながれている。排水管４９の先端５０は機外の大気中に開口している。洗濯排水路４７と結露排水路４８の合流部には１つの排水弁６０があり、洗濯排水路４７と結露排水路４８と排水管４９と排水弁６０によって排水処理手段を構成している。
【００２７】
圧縮機温度検知手段７１は圧縮機３５の近傍に備えられ、圧縮機３５の温度を検知する。圧縮機電源供給制御手段７２は圧縮機温度検知手段７１からの圧縮機温度情報を基に圧縮機への電源供給を制御する。
【００２８】
図３は、排水弁６０近辺の排水処理手段の構成を示す断面図である。図３において、弁６１は水路を開閉するためのものであり、モータ６２は弁６１を回転させる。モータ６２によって弁６１をｄ側に閉じると洗濯排水路４７側が閉で結露排水路４８側が開となり、モータ６２によって弁６１を回転してｅ側に移動させると、洗濯排水路４７側が開で結露排水路４８側が閉となる。洗濯排水路４７側が開の時には、結露排水路４８側が閉となることによって洗濯排水路４７から結露排水路４８への逆流を防止する逆流防止手段を構成する。
【００２９】
以上のように構成された洗濯乾燥機について、以下、その動作、作用を説明する。洗濯、すすぎ、脱水までの洗濯工程では、水を溜める場合は、排水弁６０の弁６１の状態は図３のｄ側であり、洗濯排水路４７側が閉で結露排水路４８側が開とする。水供給バルブ（図示せず）から洗濯槽２６に水が供給され、図２の水位Ｄの位置まで溜められる。回転ドラム２６がプログラムされた回転数で連続または間欠的に回転し、洗浄やすすぎが行なわれる。この間、衣類３１は回転ドラム２６の回転によって持ち上げられ落下する。排水する場合は、排水弁６０の弁６１を図３のｅ側にする。洗濯排水路４７側が開で結露排水路４８側が閉となる。洗濯槽１４の水は、洗濯排水路４７と排水弁６０を通過して排水管４９から機外に排水される。
【００３０】
乾燥工程では、排水弁６０の弁６１を図３のｄ側にして洗濯排水路４７側が閉で結露排水路４８側が開として、圧縮機３５、送風手段４３及び回転ドラム２８が運転される。送風手段４３の運転によって、乾燥用空気が洗濯槽２６とダクト４４、フレキシブルホース４１、風路４０、フレキシブルホース４２の内部を循環する。衣類３１は、あらかじめ設定された回転数で連続又は間欠的に行われる回転ドラム２８の回転によって撹拌される。
【００３１】
圧縮機３５の運転によって、配管３９内を冷媒が循環して、放熱器３６で高温高圧の冷媒の熱を放熱して循環する乾燥用空気を加熱する。加熱された乾燥用空気は図２の矢印Ｃのように、洗濯槽２６内に送り込まれ、回転ドラム２８底面部の開口部４６を通過して衣類３１に当たり、衣類３１から水分を奪って、多湿の空気となって回転ドラム２８の側壁の孔４５を通過して、洗濯槽２６の開口部５６を通過してダクト４４へと送られる。ダクト４４を通過した乾燥用空気は、矢印Ｂに示すように、フレキシブルホース４１を通過して風路４０に設けた除湿手段としての吸熱器３８で、冷却除湿される。除湿された乾燥用空気は再び送風手段によって放熱器３６に送られて加熱される。
【００３２】
ここで、圧縮機３５やその駆動回路に異常が発生して通常の状態よりも大きな電流が流れた場合、電流が熱に変換され、圧縮機３５の温度が上昇する。圧縮機温度検知手段７１はこの温度上昇をとらえ、圧縮機３５の温度が定められた閾値、例えば１００℃を超えた場合に圧縮機に大電流が流れていると判断し、圧縮機電源供給制御手段７２にその情報を伝達する。圧縮機電源供給制御手段７２は圧縮機温度検知手段７１からの情報を受けると、圧縮機３５への電源供給を停止する。この場合、洗濯乾燥機本体２５への電源の供給は停止しないので、少なくとも洗濯機能を動作させることが可能である。
【００３３】
以上のように、本実施の形態においては、圧縮機温度検知手段７１が定められた閾値を超える温度を検知した場合は圧縮機電源供給制御手段７２により圧縮機３５への電源供給を停止することにより、圧縮機３５の異常により大電流が流れた場合でも圧縮機温度検知手段７１により異常を検知し、圧縮機電源供給制御手段により圧縮機への電源の供給を停止させることとなり、圧縮機の異常により大電流が流れた場合でも洗濯乾燥機全体の動作を停止させることのない洗濯乾燥機を実現することができる。
【００３４】
また、圧縮機温度検知手段７１が圧縮機３５の温度上昇をとらえ、圧縮機電源供給制御手段７２により圧縮機３５への電源供給を停止した後、圧縮機３５の温度が低下し、定められた閾値を下回った場合は、圧縮機温度検知手段７１はその情報を圧縮機電源供給制御手段７２へ伝達し、圧縮機電源供給制御手段７２は圧縮機３５への電源供給を再開するとすることも可能である。
【００３５】
これにより、電源供給停止後に異常を検知しなくなれば自動的に圧縮機３５への電源供給を再開することとなり、圧縮機３５が異常状態から復帰すれば自動的に圧縮機の運転を再開する洗濯乾燥機を実現することができる。
【００３６】
なお、本実施の形態で示す放熱器３６や吸熱器３８の熱交換器は、プレートフィン付きチューブ型熱交換器を示しているが、特にその形態を限定するものではない。
【００３７】
（実施の形態２）
図４は、本発明の第２の実施の形態における洗濯乾燥機の側断面図である。なお、前記実施の形態と同じ構成のものは同一符号を付して詳細な説明は省略する。図４において、報知手段７３は圧縮機電源供給制御手段７２により圧縮機３５への電源供給を停止した場合に異常報知ランプを点滅させることにより使用者に異常を報知する。
【００３８】
以上のように、本実施の形態においては、圧縮機３５の温度が定められた閾値を超えた場合、使用者に圧縮機３５の異常を報知する報知手段７３を具備したことにより、圧縮機３５の異常を外部に報知することが可能となり、圧縮機３５の異常を使用者に報知することが可能な洗濯乾燥機を提供することができる。
【００３９】
なお、本実施の形態では報知手段は異常報知ランプを点滅させるとしたが、ブザーを鳴らすことや、あらかじめ登録された音声メッセージを再生すること、また、画面表示を用いて報知することも可能であり、また、これらを複数組み合わせて報知することとしても同様の効果が実現できる。
【００４０】
（実施の形態３）
図５は、本発明の第３の実施の形態における洗濯乾燥機の側断面図である。なお、前記実施の形態と同じ構成のものは同一符号を付して詳細な説明は省略する。図５において、電源供給停止回数記憶手段７４は圧縮機温度検知手段７１が定められた閾値を超える温度を検知して圧縮機電源供給制御手段７２により圧縮機３５への電源供給を停止した回数を記憶する。
【００４１】
圧縮機温度検知手段７１により定められた閾値を超える温度を検知して圧縮機電源供給制御手段７２により圧縮機３５への電源供給を停止した場合、電源供給停止回数記憶手段に記憶している電源供給停止回数を１増加させる。その後圧縮機３５の温度が低下し、圧縮機３５への電源供給を再開した場合でも、電源供給停止回数記憶手段の内容は保持する。その後電源供給の停止・再開を繰り返し、電源供給停止回数が一定回数、例えば３を超えた場合、圧縮機３５に何らかの処理を必要としている異常が発生していると判断し、以後異常解除処理が実行されるまで除湿動作を行わないこととする。
【００４２】
以上のように、本実施の形態においては、電源供給停止回数記憶手段７４を具備し、電源供給停止回数が一定回数を超えると圧縮機３５の異常と判断し、以後異常解除処理が実行されるまで除湿動作を行わないことにより、圧縮機３５が異常解除処理を必要とする状態であることを検知することとなり、圧縮機３５が異常解除処理を必要とする状態であれば圧縮機３５の運転を開始しない洗濯乾燥機を実現できる。
【００４３】
（実施の形態４）
図６は、本発明の第４の実施の形態における洗濯乾燥機の側断面図である。なお、前記実施の形態と同じ構成のものは同一符号を付して詳細な説明は省略する。図６において、電源供給停止間隔記憶手段７５は圧縮機温度検知手段７１が定められた閾値を超える温度を検知して圧縮機電源供給制御手段７２により圧縮機３５への電源供給が停止される毎に前回電源供給が停止されてからの経過時間を計測して記憶する。
【００４４】
圧縮機温度検知手段７１により定められた閾値を超える温度を検知して圧縮機電源供給制御手段７２により圧縮機３５への電源供給を停止した場合、電源供給停止回数記憶手段にて前回電源供給を停止してからの経過時間を記憶する。電源供給停止間隔が一定時間、例えば５分より短くなった場合、圧縮機３５に何らかの処理を必要としている異常が発生していると判断し、以後異常解除処理が実行されるまで除湿動作を行わないこととする。
【００４５】
以上のように、本実施の形態においては、電源供給停止回数記憶手段７５を具備し、電源供給停止間隔が一定時間より短くなると圧縮機３５の異常と判断し、以後異常解除処理が実行されるまで除湿動作を行わないことにより、圧縮機３５が異常解除処理を必要とする状態であることを検知することとなり、圧縮機３５が異常解除処理を必要とする状態であれば圧縮機３５の運転を開始しない洗濯乾燥機を実現できる。
【００４６】
（実施の形態５）
図７は、本発明の第５の実施の形態における制御手段による制御を示すフローチャートである。図７において、ステップＳＴ１にて圧縮機３５が異常かどうかを判断する。具体的には、電源供給停止回数記憶手段７４により電源供給停止回数が一定回数を超えているか、電源供給停止間隔記憶手段７５により電源供給停止間隔が一定時間を下回っている場合に圧縮機が異常であると判断する。圧縮機３５が異常であると判断した場合、ステップＳＴ２にて異常報知ランプを点灯させ、ステップＳＴ３にて圧縮機３５への電源供給を停止する。異常でないと判断した場合はステップＳＴ４にて圧縮機３５の温度が定められた閾値を超えているか判断する。圧縮機３５の温度が定められた閾値を超えていた場合、ステップＳＴ５にて異常報知ランプを点滅させ、ステップＳＴ３にて圧縮機への電源供給を停止する。圧縮機３５の温度が定められた閾値を超えていなかった場合は、ステップＳＴ６にて圧縮機３５への電源供給を現状維持する。
【００４７】
以上のように、本実施の形態においては、圧縮機３５が異常と判断された場合、使用者に圧縮機３５の異常報知する報知手段７５を具備し、一時的に圧縮機３５への電源供給が停止された場合とは異なる方式で報知することにより、圧縮機３５が異常解除処理を必要とする状態であることを外部に報知することが可能となり、圧縮機が異常解除処理を必要とする状態であることを使用者に報知することが可能な洗濯乾燥機を実現することができる。
【００４８】
なお、本実施の形態では報知手段は異常報知ランプを点滅または点灯させるとしたが、二つの状態を区別することが可能であれば、ブザーを鳴らすことやあらかじめ登録された音声メッセージを再生すること、また画面表示を用いて報知することも可能であり、またこれらを複数組み合わせて報知することとしても同様の効果が実現できる。
【産業上の利用可能性】
【００４９】
以上のように、本発明にかかる洗濯乾燥機は、圧縮機の異常により大電流が流れた場合でも洗濯乾燥機全体の動作を停止させることのない洗濯乾燥機を実現することが可能となるので、一般家庭で使用される洗濯と乾燥を同一槽で行う洗濯乾燥機や洗浄と乾燥を同一槽で行う食器洗い乾燥機等の用途に適用できる。
【図面の簡単な説明】
【００５０】
【図１】本発明の第１の実施の形態における洗濯乾燥機を背面から見た斜視図
【図２】同洗濯乾燥機の側断面図
【図３】同洗濯乾燥機の排水弁近辺の排水処理手段の構成を示す断面図
【図４】本発明の第２の実施の形態における洗濯乾燥機の側断面図
【図５】本発明の第３の実施の形態における洗濯乾燥機の側断面図
【図６】本発明の第４の実施の形態における洗濯乾燥機の側断面図
【図７】本発明の第５の実施の形態における制御手段のフローチャート
【図８】従来の洗濯乾燥機の側断面図
【符号の説明】
【００５１】
３５  圧縮機
３６  放熱器
３７  絞り手段
３８  吸熱器
７１  圧縮機温度検知手段
７２  圧縮機電源供給制御手段
７３  報知手段
７４  電源供給停止回数記憶手段
７５  電源供給停止間隔記憶手段
【図１】
2005211395.tif 000003
【図２】
2005211395.tif 000004
【図３】
2005211395.tif 000005
【図４】
2005211395.tif 000006
【図５】
2005211395.tif 000007
【図６】
2005211395.tif 000008
【図７】
2005211395.tif 000009
【図８】
2005211395.tif 000010